(57)【要約】【課題】未知の情報記録媒体であっても最適に近い記録パラメータを取得可能とする。【解決手段】記録ストラテジ調整を記録ストラテジ調整手段で行い、記録パワーと消去パワーをパワー調整手段で調整する、記録信号を再生した信号に基づいて信号品質を判定手段で判定する。さらに、前記記録ストラテジ調整手段は、他の調整に先立って、調整の基本となる記録ストラテジを決定するものであって、前記記録ストラテジのパルス幅を変化させ、複数の前記記録ストラテジのパルス幅条件に対する再生信号振幅の記録パワー依存性を測定し、得られた前記再生信号振幅の記録パワー依存性に基づいて記録ストラテジを調整する。【選択図】図２
2008234776.tif 000002
【特許請求の範囲】
【請求項１】
情報記録媒体上にパルストレイン型記録ストラテジにて強度変調したレーザー光を照射することによってマークとスペースによるパターン列を光照射によって記録し、その記録した情報を再生する情報記録再生装置であって、
記録ストラテジ調整を行う記録ストラテジ調整手段と、
記録パワーと消去パワーを調整するパワー調整手段と、
記録信号を再生した信号に基づいて信号品質を判定する判定手段と、
を含み、
前記記録ストラテジ調整手段は、他の調整に先立って、調整の基本となる記録ストラテジを決定するものであって、前記記録ストラテジのパルス幅を変化させ、複数の前記記録ストラテジのパルス幅条件に対する再生信号振幅の記録パワー依存性を測定し、得られた前記再生信号振幅の記録パワー依存性に基づいて記録ストラテジを調整するものであることを特徴とする情報記録再生装置。
【請求項２】
前記記録ストラテジ調整手段は、前記記録ストラテジを構成するそれぞれのパルスの前縁又は後縁のいずれか一方を一律に変化させることで、前記記録ストラテジのパルス幅を変化させるものである、請求項１に記載の情報記録再生装置。
【請求項３】
前記記録ストラテジ調整手段は、想定される前記記録ストラテジのパルス幅を概ね網羅した前記再生信号振幅の記録パワー依存性から、記録マークが形成され始める記録閾値パワーに関する情報を抽出し、それを使用して前記記録ストラテジのパルス幅の中から最適な記録ストラテジのパルス幅を選択するものである、請求項１に記載の情報記録再生装置。
【請求項４】
前記記録ストラテジ調整手段は、前記記録閾値パワーに関する記録ストラテジのパルス幅依存性が変わる特徴点におけるパルス幅を最適な記録ストラテジのパルス幅として選択するものである、請求項３に記載の情報記録再生装置。
【請求項５】
前記パワー調整手段は、記録パワーと消去パワーを独立させ、かつ段階的に変化させてテストパターンを記録し、前記テストパターンの再生信号品質から記録パワー、消去パワーを調整するものである、請求項１に記載の情報記録再生装置。
【請求項６】
前記記録ストラデジ調整手段は、記録ストラテジを構成するそれぞれのパルスの前縁又は後縁のいずれか一方を一律に変化させてテストパターンを記録し、前記テストパターンの再生信号の品質に基づいて記録ストラテジを設定するものである、請求項１に記載の光学的情報記録再生装置。
【請求項７】
前記パワー調整手段は、前記テストパターンの再生信号の品質として、前記再生信号に基づいて算出されるＰＲＳＮＲ値，エラーレートのいずれかを設定するものである、請求項５に記載の光学的情報再生装置。
【請求項８】
前記記録ストラデジ調整手段は、前記テストパターンの再生信号の品質として、前記再生信号に基づいて算出されるＰＲＳＮＲ値，エラーレートのいずれかを設定するものである、請求項６に記載の光学的情報再生装置。
【請求項９】
情報記録媒体上にパルストレイン型記録ストラテジにて強度変調したレーザー光を照射することによってマークとスペースによるパターン列を光照射によって記録し、その記録した情報を再生する情報記録再生装置を構成するコンピュータに、
記録ストラテジ調整を行う機能と、
記録パワーと消去パワーを調整する機能と、
記録信号を再生した信号に基づいて信号品質を判定する機能とを実行させ、
他の調整に先立って、調整の基本となる記録ストラテジを決定する際に、前記記録ストラテジのパルス幅を変化させ、複数の前記記録ストラテジのパルス幅条件に対する再生信号振幅の記録パワー依存性を測定し、得られた前記再生信号振幅の記録パワー依存性をもとに記録ストラテジ調整する機能を実行させることを特徴とする情報記録再生プログラム。
【請求項１０】
前記コンピュータに、
前記記録ストラテジを構成するそれぞれのパルスの前縁又は後縁のいずれか一方を一律に変化させることで設定させることで、前記記録ストラテジのパルス幅を変化させる機能を実行させる、請求項９に記載の情報記録再生プログラム。
【請求項１１】
前記コンピュータに、
想定される前記記録ストラテジのパルス幅を概ね網羅した前記再生信号振幅の記録パワー依存性から、記録マークが形成され始める記録閾値パワーに関する情報を抽出し、それを使用して前記記録ストラテジのパルス幅の中から最適な記録ストラテジのパルス幅を選択する機能を実行させる、請求項９に記載の情報記録再生プログラム。
【請求項１２】
前記コンピュータに、
前記記録閾値パワーに関する記録ストラテジのパルス幅依存性が変わる特徴点におけるパルス幅を最適な記録ストラテジのパルス幅として選択する機能を実行させる、請求項１１に記載の情報記録再生プログラム。
【請求項１３】
前記コンピュータに、
記録パワーと消去パワーを独立させ、かつ段階的に変化させてテストパターンを記録し、前記テストパターンの再生信号品質から記録パワー、消去パワーを調整する機能を実行させる、請求項９に記載の情報記録再生プログラム。
【請求項１４】
前記コンピュータに、
記録ストラテジを構成するそれぞれのパルスの前縁又は後縁のいずれか一方を一律に変化させてテストパターンを記録し、前記テストパターンの再生信号の品質に基づいて記録ストラテジを設定する機能を実行させる、請求項９に記載の光学的情報記録プログラム。
【請求項１５】
前記コンピュータに、
前記テストパターンの再生信号の品質として、前記再生信号に基づいて算出されるＰＲＳＮＲ値，エラーレートのいずれかを設定するものである、請求項１３又は１４に記載の光学的情報プログラム。
【請求項１６】
光学的情報記録媒体上にパルストレイン型記録ストラテジにて記録パワー、消去パワー、バイアスパワーの少なくとも３値の間で強度変調したレーザー光を照射することによってマークとスペースによるパターン列を記録する光学的記録方式における信号記録条件調整方法であって、
記録ストラデジの調整を行い、次で、記録パワーと消去パワーとを調整し、前記調整に基づいて光学的情報記録媒体に書き込まれた記録信号を再生し、その再生信号の信号品質を判定する処理を行い、
他の調整に先立って、調整の基本となる記録ストラテジを決定する過程において、前記記録ストラテジを変化させ、前記記録ストラテジの複数のパルス幅条件に対する再生信号振幅の記録パワー依存性を測定し、得られた前記再生信号振幅の記録パワー依存性をもとに記録ストラテジを調整することを特徴とする光学的情報記録媒体への信号記録条件調整方法。
【請求項１７】
全てのパルス幅を同一値に設定した後、前記記録ストラテジを構成するすべてのパルスの前縁又は後縁のいずれか一方を一律に変化させることで、前記複数のパルス幅を変化させる、請求項１６に記載の光学的情報記録媒体への信号記録条件調整方法。
【請求項１８】
想定される前記記録ストラテジのパルス幅の変化範囲を概ね網羅して、前記複数のパルス幅を変化させ、
前記再生信号振幅の記録パワー依存性から、記録マークが形成され始める記録閾値パワーに関する情報を抽出し、それを使用して前記記録ストラテジのパルス幅の中から最適な記録ストラテジのパルス幅を選択する、請求項１６に記載の光学的情報記録媒体への信号記録条件調整方法。
【請求項１９】
前記記録閾値パワーに関する記録ストラテジのパルス幅依存性が変わる特徴点におけるパルス幅を最適記録ストラテジのパルス幅として選択する、請求項１８に記載の光学的情報記録媒体への信号記録条件調整方法。
【請求項２０】
記録パワーと消去パワーの２つのパワーのうち、どちらか一方のパワーを固定し、もう一方のパワーを段階的に変化させてテストパターンを記録し、テストパターンの再生信号の品質から記録パワー、消去パワーを調整する、請求項１６に記載の光学的情報記録媒体への信号記録条件調整方法。
【請求項２１】
前記記録パワー及び消去パワーの調整に引き続いて、
記録ストラテジを構成するそれぞれのパルスの前縁又は後縁のいずれか一方を一律に変化させてテストパターンを記録し、前記テストパターンの再生信号の品質に基づいて記録ストラテジを設定する、請求項２０に記載の光学的情報記録媒体への信号記録条件調整方法。
【請求項２２】
前記テストパターンの再生信号の品質として、前記再生信号に基づいて算出されるＰＲＳＮＲ値，エラーレートのいずれかを設定する、請求項２０又は２２に記載の光学的情報記録媒体への信号記録条件調整方法。
【発明の詳細な説明】
【技術分野】
【０００１】
本発明は、高密度光学的情報記録媒体の記録再生装置及びプログラム並びに高密度光学的情報記録媒体への記録条件調整方法に関する。
【背景技術】
【０００２】
従来、光制御回路として、ＣＤ（Compact  Disk）やＤＶＤ（Digital  Video  Disk又はDigital  Versatile  Disk）などの光学的情報記録媒体に対して情報書込みを行うためのピックアップを制御するものが知られている。この従来のピックアップを制御する光制御回路は、記録データの振幅変化に従って半導体レーザーの駆動電力（より具体的には駆動電流）を短時間でオンオフ制御することにより、時間幅の小さい矩形波状のレーザー光を射出させ、このレーザー光を書込み光として光学系を介して光学的情報記録媒体に照射させている。
【０００３】
また、例えば、情報書込みが可能なＤＶＤ-Ｒ（追記型ＤＶＤ）やＤＶＤ-ＲＷ（書換え可能型ＤＶＤ）のような高密度の光学的情報記録媒体に情報書込みを行う場合、記録膜に記録・再生特性の良好なピットを書込み形成するために、記録ストラテジと呼ばれる制御を行っている。
【０００４】
ＤＶＤ-ＲＷの記録ストラテジでは図１３に示すように、記録データに対応する半導体レーザーへの駆動電流をパルス列で与え、更に、記録データの各記録マーク長に対応する書込み光をトップパルス（Ｔtop）とミドルパルス（Ｔmp）とラストパルス（Ｔlp）及びクーリングパルス（Ｔcl）に従って生じさせることとしている。
【０００５】
前記ＤＶＤ-ＲＷの記録ストラテジに基づいて半導体レーザーの駆動電流を制御すると、トップパルスとミドルパルスとラストパルスに従ってレーザー光のパワーが記録パワーとバイアスパワーとの間で変化し、その変化に応じて記録膜である相変化材料が溶融と冷却を繰り返すことで、アモルファスが形成される。また、記録データのスペース部に相当する期間に消去パワーのレーザー光が照射されることで、相変化材料が結晶化される。こうして、トップパルスとミドルパルスとラストパルス及びクーリングパルスに基づいて半導体レーザーの駆動電流を制御することにより、記録・再生特性の向上を図ることが可能な記録ピットを形成するようにしている。
【０００６】
光記録装置による情報の記録が行われる光学的情報記録媒体については、それぞれの物性等の違いや光記録装置との相性により、最適な記録ストラテジが存在する。したがって、従来は、市場において流通し、よく使われる一般的な光学的情報記録媒体については、それぞれの光学的情報記録媒体について、既知の記録ストラテジを用いて、記録動作が行われるが、光記録装置にとって未知のディスクに記録を行う場合には、標準的な記録ストラテジを用いて、記録動作を行うことになる。そのため、未知の光学的情報記録媒体と標準的な記録ストラテジとの相性が悪い場合には、記録媒体からの情報が再生不能な状態に陥るなどの問題が発生する可能性がある。
【０００７】
このような問題に対応するため、未知の光学的情報記録媒体に情報を記録する際に、２種類の異なる記録ストラテジで記録を行い、記録した情報から補正相関をとって基準ライトストラテジを未知の光学的情報記録媒体に最適な記録ストラテジとするために、記録パワー、ミドルパルスとラストパルス、トップパルスの優先順位で調整する技術が提案されている（例えば、特許文献１参照）。
【特許文献１】特開２００３−３０８３７号公報（第２−１８頁、第１図）
【発明の開示】
【発明が解決しようとする課題】
【０００８】
しかし、記録密度がHD DVDほどの高密度になってくると、記録ストラテジの調整は、非常に微妙になってくる。その上、記録パワーと記録ストラテジとの間には、ある程度相関があるため、記録パワー、記録ストラテジを構成するトップパルス、ミドルパルス、ラストパルス、クーリングパルスをそれぞれ独立させて調整することは不可能である。また、やみくもに記録パワー、トップパルス、ミドルパルス、ラストパルス、クーリングパルスのいずれかを固定して調整すると、容易にローカルミニマム（局所最適）に陥ってしまう。特に、調整初期段階で決定される記録パワーと記録ストラテジとが重要であり、その調整初期段階で決定される記録パワーと記録ストラテジとを間違えると、その後どのように調整しても、所期の性能を得ることは全く不可能となる。
【０００９】
例えば、光記録装置にとって未知の光学的情報記録媒体に記録を行う場合、従来技術では標準的な記録パワー及び記録ストラテジで記録パワーや記録ストラテジの調整を開始することとなるが、それでは全く性能が出ない可能性が出てくる。
【００１０】
本発明の目的は、未知の情報記録媒体であっても最適に近い記録パラメータを取得可能とした記録再生装置及びプログラム並びに記録条件調整方法を提供することにある。
【課題を解決するための手段】
【００１１】
前記目的を達成するため、本発明に係る情報記録再生装置は、情報記録媒体上に所定のパルストレイン型記録ストラテジにて強度変調したレーザー光を照射することによってマークとスペースによるパターン列を光照射によって記録し、その記録した情報を再生する情報記録再生装置であって、
記録ストラテジ調整を行う記録ストラテジ調整手段と、
記録パワーと消去パワーを調整するパワー調整手段と、
記録信号を再生した信号に基づいて信号品質を判定する判定手段と、
を含み、
前記記録ストラテジ調整手段は、他の調整に先立って、調整の基本となる記録ストラテジを決定するものであって、前記記録ストラテジのパルス幅を変化させ、複数の前記記録ストラテジのパルス幅条件に対する再生信号振幅の記録パワー依存性を測定し、得られた前記再生信号振幅の記録パワー依存性に基づいて記録ストラテジを調整するものであることを特徴とするものである。
【００１２】
以上の説明では、本発明をハードウェアとしての情報記録再生装置として構築したが、これに限られるものではない。本発明は、情報記録再生装置の機能をコンピュータに実行させるプログラム、或いは、光学的情報記録媒体への信号記録条件調整方法として構築してもよいものである。
【００１３】
本発明に係る情報記録再生プログラムは、情報記録媒体上に所定のパルストレイン型記録ストラテジにて強度変調したレーザー光を照射することによってマークとスペースによるパターン列を光照射によって記録し、その記録した情報を再生する情報記録再生装置を構成するコンピュータに、
記録ストラテジ調整を行う機能と、
記録パワーと消去パワーを調整する機能と、
記録信号を再生した信号に基づいて信号品質を判定する機能とを実行させ、
他の調整に先立って、調整の基本となる記録ストラテジを決定する際に、前記記録ストラテジのパルス幅を変化させ、複数の前記記録ストラテジのパルス幅条件に対する再生信号振幅の記録パワー依存性を測定し、得られた前記再生信号振幅の記録パワー依存性をもとに記録ストラテジ調整する機能を実行させる構成として構築する。
【００１４】
本発明に係る光学的情報記録媒体への信号記録条件調整方法は、光学的情報記録媒体上に所定のパルストレイン型記録ストラテジにて記録パワー、消去パワー、バイアスパワーの少なくとも３値の間で強度変調したレーザー光を照射することによってマークとスペースによるパターン列を記録する光学的記録方式における信号記録条件調整方法であって、
記録ストラデジの調整を行い、次で、記録パワーと消去パワーとを調整し、前記調整に基づいて光学的情報記録媒体に書き込まれた記録信号を再生し、その再生信号の信号品質を判定する処理を行い、
他の調整に先立って、調整の基本となる記録ストラテジを決定する過程において、前記記録ストラテジを変化させ、前記記録ストラテジの複数のパルス幅条件に対する再生信号振幅の記録パワー依存性を測定し、得られた前記再生信号振幅の記録パワー依存性をもとに記録ストラテジを調整する構成として構築する。
【発明の効果】
【００１５】
本発明によれば、未知の情報記録媒体が挿入された場合にも、局所最適に陥ることなく、最適に近い記録パラメータを求めることができる。
【発明を実施するための最良の形態】
【００１６】
以下、本発明の実施の形態を、図面を参照しながら詳細に説明する。
【００１７】
本発明の実施形態に係る情報記録再生装置は図１に示すように、情報記録媒体上にパルストレイン型記録ストラテジにて強度変調したレーザー光を照射することによって、マークとスペースとによるパターン列を光照射によって情報記録媒体に書き込む（記録する）情報記録再生装置を対象とするものである。本発明の実施形態に係る情報記録再生装置は図１に示すように、スピンドル駆動系１と、光ヘッド部２と、ＲＦ回路部３と、復調器４と、システムコントローラ５と、変調器６と、ＬＤ駆動系８と、サーボコントローラ９とを有している。光ヘッド部２は、レーザーダイオード（ＬＤ）７と、対物レンズ１０と、受光部１１と、ビームスプリッタ１２とを含んでいる。
【００１８】
スピンドル駆動系１は、システムコントローラ５からの指令を受けて、光学的情報記録媒体１３を回転駆動する。光ヘッド部２は、スピンドル駆動系１で回転駆動される光学的情報記録媒体１３の盤面にレーザー光を照射し、光学的情報記録媒体１３への情報の書込、光学的情報記録媒体１３からの情報の再生を行う。
【００１９】
ＲＦ回路部３は、受光部１１から出力される信号に対してフィルタリング等の処理を行う。ＲＦ回路部３の具体例を図３に示す。ＲＦ回路部３は図３に示すように、プリフィルタ１００と、オートゲインコントローラ１０１と、Ａ／Ｄコンバータ１０２と、フェーズ・ロックド・ループ（ＰＬＬ）１０３と、適応等化器１０４と、ビタビ復号器１０５と、ＰＲＳＮＲ計算器１０６とを有し、最尤検出器として構成されている。
【００２０】
プリフィルタ１００は、受光部１１から入力する信号に対してフィルタリングの処理を行う。オートゲインコントローラ１０１は、プリフィルタ１００で処理された信号に対してイコライジングの処理を行い、信号のゲインを制御する。Ａ／Ｄコンバータ１０２は、オートゲインコントローラ１０１で処理されたアナログの信号をデジタル信号にＡ／Ｄ変換する。フェーズ・ロックド・ループ（ＰＬＬ）１０３は、Ａ／Ｄ変換された信号に対してＰＬＬ処理を行う。なお、ＰＲＭＬ（Partial  Response  Maximum  Likelihood）を使用する場合には、ビタビ複合等の処理が行われる。なお、ＰＲＭＬとは、ＤＶＤなどの高密度の光学的情報記録媒体１３に記録された情報を再生する場合に用いられる再生信号処理方式であって、光学的情報記録媒体１３から読み出したデータ波形を１もしくは０と判断するときに、隣接するデータから干渉を受けることを考慮して信号の処理を行う方式を意味する。
【００２１】
本発明の実施形態では、前記ＰＲＭＬを行うために、適応等化器１０４と、ビタビ復号器１０５と、ＰＲＳＮＲ計算器１０６とを含んでいる。
【００２２】
適応等化器１０４は、フェーズ・ロックド・ループ１０３でＰＬＬ処理された信号を受けて、適応等化の処理を行う。ビタビ復号器１０５は、適応等化器１０４からの信号を受けて、ビタビ復号の処理を行い、データ列信号をＰＲＳＮＲ計算器１０６に出力する。
【００２３】
ＰＲＳＮＲ計算器１０６は、ビタビ復号器１０５でビタビ復号の処理がなされたデータ列信号を受けて、ＰＲＳＮＲを計算する。ＰＲＳＮＲ（Partial  Response  Signal  to  Noise  Ratio）は、再生信号のS／N（信号対雑音比）及び、実際の再生波形と理論的なＰＲ波形線形性とを指し示す指標であって、光学的情報記録媒体１３のビット誤り率の推定を行うために用いられる。なお、ＰＲＳＮＲ計算器１０６によるＰＲＳＮＲの計算は、本発明の実施形態の特徴ではなく、一般に行われている（例えば、特開２００４−２１３８６２公報）。
【００２４】
復調器４は、ＲＦ回路部３で処理された信号を復調する。変調器６は、システムコントローラ５から出力される記録信号を変調する。ＬＤ駆動部８は、システムコントローラ５からの指令を受けて、変調器６で変調された記録信号に基づいてレーザーダイオード（ＬＤ）７を駆動する。サーボコントローラ９は、システムコントローラ５からのサーボ信号を受けて、受光部１２、特に光学的情報記録媒体１３に対する対物レンズ１０の焦点位置を制御する。
【００２５】
ビームスプリッタ１２は、ＬＤ７からの光を対物レンズ１０に反射させるとともに光学的情報記録媒体１３からの反射光を受光部１１に通過させる。
【００２６】
システムコントローラ５は、装置全体を統括するものであって、その内部に、記録パラメータ調整器２０を含んでいる。記録パラメータ調整器２０は、記録ストラテジ，記録パワー，消去パワーの調整をコントロールするものであって、本発明の実施形態における特徴的な要素をなすものである。
【００２７】
本発明の実施形態では、ＲＦ回路部３でＰＲＳＮＲ及び振幅並びに変調度を計算しているため、実施形態に係る記録パラメータ調整器２０は、ＰＲＳＮＲ及び振幅並びに変調度を考慮して、記録ストラテジ，記録パワー，消去パワーの調整をコントロールする。記録パラメータ調整器２０の具体例を図２に示す。
【００２８】
実施形態に係る記録パラメータ調整器２０は、ＲＦ回路部３から送られてくるＰＲＳＮＲのデータ（ＰＲＳＮＲデータ）２８から得られるＰＩエラー、場合によっては振幅のデータ２７（振幅データ）２７及び変調度のデータ（変調度データ）２９に基づいて、記録条件と信号品質との対応を認識し、図４に示す一連の調整シーケンスをコントロールし、最適な記録ストラテジの調整を行い、調整後のデータをＬＤ駆動部８に出力するものである。記録パラメータ調整器２０の具体的構成を図２に基づいて説明する。なお、前記ＰＩエラーレートは、実際に記録を行ったビット列と、再生されデコードされたビット列との差がどの程度あるかを示すもので、（間違ったビット数）／（数えたビットの総数）で算出する。
【００２９】
記録パラメータ調整器２０は図２に示すように、判定器２１と、記録ストラデジ設定器２２と、パワー調整手段とを有している。
【００３０】
判定器２１は、復調器４で復調されたＲＦ回路部３からのデータである、再生信号の振幅２７，ＰＲＳＮＲ値２８及び変調度（Modulation）に基づいて、記録信号を再生した信号に基づいて信号品質を判定する。前記記録信号を再生した信号とは、システムコントローラ５から出力される記録信号（書込信号）で光学的情報記録媒体１３に書込みを行った後、光学的情報記録媒体１３に書き込まれた情報（前記記録信号）を読み出した（再生した）信号を意味する。なお、ＲＦ回路部３からのデータには、前記パターン列（ＮＲＺＩ；Non  Return  to  Zero  Inversion）を再生した再生信号に基づいて算出されるＰＲＳＮＲ値、エラーレートのいずれか１つを含む。
【００３１】
判定器２１は、判定した結果である再生信号の信号品質のデータを記録ストラデジ設定器２２、記録パワー設定器２４及び消去パワー設定器２５にそれぞれ出力する。
【００３２】
前記パワー調整手段は、光学的情報記録媒体へ情報を書き込む際の記録パワー、光学的情報記録媒体から情報を消去する際の消去パワーをそれぞれ独立させて制御するものであり、記録パワー設定器２４と、消去パワー設定器２５とを含んでいる。記録パワー設定器２４は、光学的情報記録媒体へ情報を書き込む際の記録パワーを単独で調整する。消去パワー設定器２５は、光学的情報記録媒体から情報を消去する際の消去パワーを単独で調整する。
【００３３】
記録ストラデジ設定器２２は、他の調整に先立って、調整の基本となる記録ストラデジを決定するものであって、前記記録ストラデジのパルス幅を変化させ、複数の前記記録ストラデジのパルス幅条件に対する再生信号振幅の記録パワー依存性を測定し、得られた前記再生信号振幅の記録パワー依存性に基づいて記録ストラデジを調整する。前記他の調整とは、前記パワー調整による調整、すなわち、記録パワーの調整及び消去パワーの調整を意味する。
【００３４】
記録ストラデジ調整器２２は、前記記録ストラデジを構成するそれぞれのパルスの前縁又は後縁のいずれか一方を一律に変化させ、複数の前記記録ストラデジのパルス幅を変化させる。
【００３５】
記録ストラデジ設定器２２は、想定し得る前記記録ストラテジのパルス幅を概ね網羅した前記再生信号振幅の記録パワー依存性から、記録マークが形成され始める記録閾値パワーに関する情報を抽出し、前記抽出した情報に基づいて、前記記録ストラテジのパルス幅の中から最適な記録ストラテジのパルス幅を選択する。具体的には、記録ストラデジ設定器２２は、前記記録閾値パワーに関する記録ストラテジのパルス幅依存性が変わる特徴点におけるパルス幅を最適記録ストラテジのパルス幅として選択する。
【００３６】
記録ストラデジ設定器２２は、記録ストラデジを構成するそれぞれのパルスの前縁又は後縁のいずれか一方を一律に変化させることで複数の前記記録ストラデジのパルス幅を変化させ、テストパターンを光学的情報記録媒体１３に記録し、光学的情報記録媒体１３から再生した前記テストパターンの再生信号の品質に基づいて記録ストラデジを設定する。記録ストラデジ設定器２２は、前記前記テストパターンの再生信号の品質として、前記再生信号に基づいて算出されるＰＲＳＮＲ値、エラーレートのいずれかを設定する。
【００３７】
前記パワー調整手段（２４，２５）は、記録パワーと消去パワーとを調整するものであって、記録パワーと消去パワーとを独立させ、かつ段階的に変化させてテストパターンを光学的情報記録媒体１３に記録し、光学的情報記録媒体１３から再生した前記テストパターンの再生信号の品質から記録パワー、消去パワーを調整する。前記記録パワーの調整は、記録パワー設定器２４が行い、前記消去パワーの調整は、消去パワー設定器２５が行う。
【００３８】
パワー調整手段を構成する記録パワー設定器２４及び消去パワー設定器２５は、前記前記テストパターンの再生信号の品質として、前記再生信号に基づいて算出されるＰＲＳＮＲち、エラーレートのいずれかを設定する。
【００３９】
以上の説明では、本発明の実施形態をハードウェアとしての情報記録再生装置として構築したが、これに限られるものではない。本発明の実施形態は、上述した情報記録再生装置の機能をコンピュータに実行させるプログラムとして構築してもよいものである。
【００４０】
次に、本発明の実施形態に係る情報記録再生装置を用いることにより、信号記録条件を調整する方法について説明する。
【００４１】
本発明の実施形態に係る信号記録条件を調整する方法は、光学的情報記録媒体１３上にパルストレイン型記録ストラテジにて記録パワー、消去パワー、バイアスパワーの少なくとも３値の間で強度変調したレーザー光を照射することによってマークとスペースによるパターン列を記録する光学的記録方式における信号記録条件調整方法を対象とするものである。
【００４２】
本発明の実施形態に係る信号記録条件を調整する方法は基本的構成として、記録ストラデジの調整を行い（図４のベースストラデジ決定ステップＳ１）、次いで、記録パワーと消去パワーとを調整し（図４のパワー調整ステップＳ２）、前記調整に基づいて光学的情報記録媒体１３に書き込まれた記録信号を再生し、その再生信号の信号品質を判定する処理を行い、他の調整に先立って、調整の基本となる記録ストラテジを決定する過程において、前記記録ストラテジを変化させ、前記記録ストラテジの複数のパルス幅条件に対する再生信号振幅の記録パワー依存性を測定し、得られた前記再生信号振幅の記録パワー依存性をもとに記録ストラテジを調整することを特徴とするものである。
【００４３】
前記複数のパルス幅条件に関しては、全てのパルス幅を同一値に設定した後、前記記録ストラテジを構成するすべてのパルスの前縁又は後縁のいずれか一方を一律に変化させることにより、前記複数のパルス幅を変化させる。
【００４４】
前記複数のパルス幅条件は、未知の光学的情報記録媒体１３に対して想定される前記記録ストラテジのパルス幅を概ね網羅して設定される。以上のように設定される前記複数のパルス幅条件の下において、前記ベースストラテジ決定ステップでは、前記再生信号振幅の記録パワー依存性から、記録マークが形成され始める記録閾値パワーに関する情報を抽出し、それを使用して前記記録ストラテジのパルス幅の中から最適な記録ストラテジのパルス幅を選択する。なお、前記ベースストラテジ決定ステップにおいては、前記記録閾値パワーに関する記録ストラテジのパルス幅依存性が変わる特徴点におけるパルス幅を最適記録ストラテジのパルス幅として選択する。
【００４５】
前記ベースストラテジ決定ステップに引き続いて、パワー調整ステップを実行する（図４のステップＳ２，図５）。すなわち、前記パワー調整ステップでは、記録パワーと消去パワーの２つのパワーのうち、どちらか一方のパワーを固定し、もう一方のパワーを段階的に変化させてテストパターンを記録し、テストパターンの再生信号品質から記録パワー、消去パワーを調整する。なお、記録パワー及び消去パワーを段階的に変化させる際には、その変化させる範囲と、変化させる間隔を適宜設定することで行う。
【００４６】
前記再生信号品質を示すデータとして、前記パターン列を再生した再生信号に基づいて算出されるＰＲＳＮＲ値、エラーレートのいずれかを用いる。
【００４７】
前記パワー調整ステップに引き続いて、記録ストラデジ設定ステップを実行する（図４のステップＳ３）。すなわち、前記記録ストラデジ設定ステップでは、記録ストラテジを構成するそれぞれのパルスの前縁又は後縁のいずれか一方を一律に変化させ、テストパターンを光学的情報記録媒体１３に記録し、光学的情報記録媒体１３から再生した前記テストパターンの再生信号の品質に基づいて記録ストラテジを設定する。
【００４８】
前記再生信号品質を示すデータとして、前記パターン列を再生した再生信号に基づいて算出されるＰＲＳＮＲ値、エラーレートのいずれかを用いる。
【００４９】
次に、具体例を用いて詳細に説明する。以下の説明では、下記の条件の下に信号記録条件を調整する方法について説明する。光ヘッド部２の光ヘッドとして、レーザーダイオード（ＬＤ）７の波長が405nm、対物レンズ１０の開口数（NA）が0.65のものを使用する。また、ＲＦ回路部３には、ＰＲ(１，２，２，２，１）用のビタビ復号器１０５が組み込まれている。また、光学的情報記録媒体１３として、何度でも記録が可能な書き換え型のHD DVD−RWを用いる。
【００５０】
前記HD DVD-RWは、記録を行うと反射率が低くなるタイプの媒体であって、High-to-Lowメディアと呼ばれる種類の光学的情報記録媒体である。前記HD DVD-RWのディスクの物理構造としては、厚さが0.6mm、直径が12cmである円板状の透明なポリカーボネイト製基板に、プリグルーブと呼ばれる案内溝が形成されている。上述した構造の前記HD DVD-RWにおいては、記録及び再生時に、情報記録再生装置、特に対物レンズ１０からのレーザー光が前記案内溝に沿って走査できるようになっている。前記基板上には、記録用の膜が成膜される。また、前記HD  DVD-RWに記録を行う場合の物理フォーマットとしては、ビットピッチが0.15μm、トラックピッチが0.40μmのイングルーブ・フォーマットを使用する。
【００５１】
本発明の実施形態に係る情報記録再生装置は、図４に示す処理手順に基づいて、記録パワー，消去パワー，記録ストラテジ（Strategy）をそれぞれ調整する。実施形態において用いる記録ストラテジは図１３に示すものと同じであるが、パルストレイン（パルス列）として、特に、図６に示すような(ｋ−１)型のパルストレイン（パルス列）を適用した場合を説明する。図６において、トップパルスのパルス幅をＴtop、ミドルパルスのパルス幅をＴmp、ラストパルスのパルス幅をＴlp、クーリングパルスのパルス幅をＴclとしている。
【００５２】
HD DVD-RWを図１に示す本発明の実施形態に係る情報記録再生装置に装填し、図４に示す信号記録条件の調整を試みる。すなわち、先ず、ベースストラテジを決定する処理を行い（図４のステップＳ１）、次に記録パワーの調整を行い（図４のステップＳ２）、次いで記録ストラテジの調整を行う（ステップＳ３）。なお、実施形態では、パルス幅の変更は、記録ストラデジを構成するトップパルス（Ｔtop）及びミドルパルス（Ｔmp）並びにラストパルス（Ｔlp）のパルス幅を変更するにあたっては、それらのパルスの後縁を変更することで実施したが、それぞれのパルスの前縁を変更することによって実施しても良いものである。図４の示すステップＳ１の詳細を図５に示す。
【００５３】
先ず、図４に示すベースストラデジの決定を行う処理（ステップＳ１）を図５に基づいて説明する。記録ストラデジ設定器２２によるベースストラデジの決定処理を行う際、消去パワー設定器２５で消去パワーを0mＷに設定する。
【００５４】
次に、システムコントローラ５に、初期パルス幅ａ［Ｔ］、パルス幅変更間隔ｂ［Ｔ］、繰り返し回数ｍをセットする（図５のステップＳ１０）。次に、システムコントーラ５に、初期記録パワーｃ［ｍＷ］、記録パワー変更間隔ｄ［ｍＷ］、繰り返し回数ｎをセットする（図５のステップＳ１１）。初期パルス幅ａ［Ｔ］は、記録ストラデジを構成するトップパルス（Ｔtop）及びミドルパルス（Ｔmp）並びにラストパルス（Ｔlp）のパルス幅を変更する基準となる初期のパルス幅である。パルス幅変更間隔ｂ［Ｔ］は、繰り返し回数ｍの範囲において、記録ストラデジを構成するトップパルス（Ｔtop）及びミドルパルス（Ｔmp）並びにラストパルス（Ｔlp）のパルス幅を前記初期のパルス幅に対して変更する割合を示すものである。初期記録パワーｃ［ｍＷ］は、記録パワーを調整する基準となる初期の記録パワーである。記録パワー変更間隔ｄ［ｍＷ］は、繰り返し回数ｎの範囲において、記録パワーを前記初期の記録パワーｃに対して変更する割合である。なお、前記パルス幅変更間隔ｂ及び前記繰り返し回数ｍは、想定される記録ストラデジのパルス幅の変化範囲を網羅するように設定する。
【００５５】
実施形態では、ベースストラテジを決定する過程においては、前記初期パルス幅ａを0.2Ｔ、前記パルス幅変更間隔ｂを0.1Ｔ、繰り返し回数ｍを６に設定する（図５のステップＳ１０）。また、初期記録パワーｃを4mW、記録パワー変更間隔ｄを1mW、繰り返し回数を７に設定する（図５のステップＳ１１）。図６に示すパルストレイン（パルス列）は、光学的情報記録媒体１３に書き込む最終的なパルストレインであるから、トップパルス（Ｔtop）のパルス幅が、他のミドルパルス（Ｔmp）及びラストパルス（Ｔlp）のパルス幅より広く設定されているが、図４及び図５に示すベースストラテジを決定する過程では、トップパルス（Ｔtop）のパルス幅と、他のミドルパルス（Ｔmp）及びラストパルス（Ｔlp）のパルス幅とを同一値に設定してベースストラデジの決定を行う。
【００５６】
以上のように設定した状態で、記録ストラデジ設定器２２は記録ストラデジを変化させ、判定器２１は前記記録ストラデジの複数のパルス幅（Ｔtop，Ｔmp，Ｔlp）の条件に対する再生信号振幅の記録パワー依存性を測定し、得られた前記再生信号振幅の記録パワー依存性に基づいて記録ストラデジを調整する。記録ストラデジ設定器２２は、全てのパルス幅（Ｔtop，Ｔmp，Ｔlp）を同一値に設定し、記録ストラデジを構成するトップパルス及びミドルパルス並びにラストパルスの後縁を一律に変化させることで、複数のパルス幅（Ｔtop，Ｔmp，Ｔlp）を変化させる。
【００５７】
すなわち、記録ストラデジ設定器２２は、記録パワーｃの変化率ｉと記録ストラテジのパルス幅ｂの変化率ｊとをリセットし(図５のステップＳ１２)、記録パワーｃを（c+dj）［ｍＷ］にセットする（図５のステップＳ１３）。次に、記録ストラデジのパルス幅ｂを（a+bi）［Ｔ］にセットする（図５のステップＳ１４）。
【００５８】
次に、記録ストラデジ器２２は、前記設定した記録パワー（c+dj）及び記録ストラデジのパルス幅（a+bi）のデータを変調器６及びＬＤ駆動系８にそれぞれ出力し、光ヘッド部２により光学的情報記録媒体１３にテストデータの書込を行う（図５のステップＳ１５）。その後、光学的情報記録媒体１３に書き込んだテストデータを再生し、システムコントローラ５により再生信号の振幅を測定する（図５のステップＳ１６）。次に、判定器２１は、光ヘッド部２で再生されたテストデータに基づいて、記録閾値パワーに関する記録ストラデジのパルス幅依存性の変曲点を測定する（図５のステップＳ１８）。
【００５９】
判定器２１と記録パワー設定器２４と記録ストラデジ設定器２２は、以上のステップＳ１３〜ステップＳ１７までの処理を、ステップＳ１０及びＳ１１でセットされた繰り返し回数ｎ、ｍまで繰り返して行う（図５のステップＳ１８，Ｓ１９，Ｓ２０及びＳ２１）。
【００６０】
図５のステップＳ１５において再生信号の振幅を測定した結果を図７に示す。図７では、横軸に記録パワーを、縦軸に変調度を取ることにより、前記再生信号の振幅の変化を示している。図７におけるStrategyは、設定された記録ストラデジ、0.2Ｔ〜0.8Ｔは、設定された記録ストラデジを構成する各パルスのパルス幅（Ｔtop，Ｔmp，Ｔlp）をそれぞれ示す。また、Modurationは変調度、Write  Powerは、設定された記録パワーをそれぞれ示す。
【００６１】
図７から明らかなように、トップパルス，ミドルパルス，ラストパルスのパルス幅（Ｔtop，Ｔmp，Ｔlp）を一律に増加させていくと、そのパルス幅が閾値以上で変調度が飽和することが分かる。この現象は、トップパルス，ミドルパルス，ラストパルスのパルス幅（Ｔtop，Ｔmp，Ｔlp）が閾値を超えると、光学的情報記録媒体１３の基板での再結晶が起こり、光学的情報記録媒体１３に形成される記録マークが大きくならないためである。光学的情報記録媒体１３での再結晶化が起こり始めると、光学的情報記録媒体１３に形成される記録マークの長さに対してパルス幅（Ｔtop，Ｔmp，Ｔlp）の増加による非線形な効果が現れるので、光学的情報記録媒体１３での再結晶化が起こるようなパルス幅にはすべきでない。
【００６２】
これに対して、書込を行うための記録パワーに関しては、トップパルス，ミドルパルス，ラストパルスのパルス幅（Ｔtop，Ｔmp，Ｔlp）を可能な限り大きく設定することが望ましい。これは、トップパルス，ミドルパルス，ラストパルスのパルス幅（Ｔtop，Ｔmp，Ｔlp）を大きく設定することにより、記録パワーを低減することが可能となり、記録パワーの低減により、ＸＥ及びＸＴを抑えることが可能となるためである。
【００６３】
図８は、記録ストラデジのパルス幅（Ｔtop，Ｔmp，Ｔlp）Ｔと記録パワー（Write  Power）［ｍＷ］との関係を示す特性図であって、記録マークが光学的情報記録媒体１３に形成され始める記録閾値パワーを示している。判定器２１は、設定された記録パワーと設定された記録ストラデジのパルス幅Ｔとの関係に基づいて、記録閾値パワーに関する記録ストラデジのパルス幅依存性の変曲点を求める（図５のステップＳ１７）。図８の場合、記録閾値パワーに関する記録ストラテジのパルス幅依存性が変わる特徴点における記録ストラデジのパルス幅Ｔは0.5Ｔであるので、判定器２１は、トップパルス，ミドルパルス，ラストパルスのパルス幅（Ｔtop，Ｔmp，Ｔlp）Ｔを0.5Ｔに決定する。
【００６４】
以上の過程を経て、図４のステップＳ１及び図２に示す判定器２１と記録パワー設定器２４と記録ストラデジ設定器２２によるベースストラテジ決定の処理が終了する。
【００６５】
次に、パワー調整手段（２４，２５）は、図４に示すパワー調整の処理を行う（ステップＳ２）。すなわち、パワー調整手段（２４，２５）は、判定器２１が決定し、記録ストラデジ設定器が設定したベースとなるパルス幅Ｔ、すなわち、トップパルス，ミドルパルス，ラストパルスのパルス幅（上記の例では0.5Ｔ）においてＰＲＳＮＲ値を指標に、先ず記録パワーを決定し、次に消去パワーを決定する。なお、記録パワーは、判定器２１によって最適な記録パワーに決定され、記録パワー設定器２４で設定され、消去パワーは、判定器２１によって最適な消去パワーに決定され、消去パワー設定器２５で設定される。また、ＰＲＳＮＲ値は、ベースストラデジ決定処理の過程において、記録ストラデジ設定器２２の制御の下に光学的情報記録媒体１３に記録され、その後再生された信号に基づいてＲＦ回路部３のＰＲＳＮＲ計算器１０６で算出されるデータである。
【００６６】
図９に、記録パワー（Write  Power）とＰＲＳＮＲ値との関係を示す。図１０に、消去パワー（Erase Power）とＰＲＳＮＲ値との関係を示す。
【００６７】
判定器２１は、図９に示す記録パワー（Write  Power）とＰＲＳＮＲ値との関係に基づいて、ＰＲＳＮＲ値が最も高くなる記録パワー、図９の場合に記録パワーを7.5ｍＷとして決定する。引き続いて、判定器２１は、図１０に示す消去パワー（Erase  Power）とＰＲＳＮＲ値との関係に基づいて、ＰＲＳＮＲ値が最も高くなる消去パワー、図１０の場合に消去パワーを3.5ｍＷとして決定する。なお、判定器２１は、ＰＲＳＮＲ値に代えて、ＲＦ回路部３で算出されるエラーレートを用いてもよいものである。
【００６８】
以上の過程を経て、図４のステップＳ２に示すパワー調整手段（２４，２５）によるパワー調整の処理が終了する。
【００６９】
次に、記録ストラデジ設定器２２は、パワー調整手段（２４，２５）による記録パワー及び消去パワーの調整に引き続いて、記録ストラデジを構成するそれぞれのパルス（Ｔtop，Ｔmp，Ｔlp）の後縁を一律に変化させてテストパターンを光学的情報記録媒体１３に記録し、光学的情報記録媒体１３から再生した前記テストパターン（再生信号）の信号品質に基づいて記録ストラデジを設定する（図４のストラデジ調整ステップＳ３）。
【００７０】
この図４の記録ストラデジ調整ステップＳ３では、図４に示すパワー調整の処理で求めた記録パワー及び消去パワーのデータを使用する。判定器２１は、ＰＲＳＮＲ値に基づいて、トップパルス（Ｔtop），ミドルパルス（Ｔmp），ラストパルス（Ｔlp）のパルス幅を決定する。判定器２１は、ＰＲＳＮＲ値に代えて、ＲＦ回路部３で算出されるエラーレートを用いてもよいものである。
【００７１】
図１１に、トップパルス（Ｔtop），ミドルパルス（Ｔmp），ラストパルス（Ｔlp）のパルス幅と、ＰＲＳＮＲ値との関係を示す。判定器２１は、トップパルス（Ｔtop），ミドルパルス（Ｔmp），ラストパルス（Ｔlp）のパルス幅とＰＲＳＮＲ値との関係に基づいて、トップパルス（Ｔtop）、ミドルパルス（Ｔmp）、ラストパルス（Ｔlp）のパルス幅を決定しそのパルス幅は記録ストラデジ設定器２２で設定される。図１１の例では、判定器２１は、トップパルス（Ｔtop）、ミドルパルス（Ｔmp）、ラストパルス（Ｔlp）のパルス幅を0.45Ｔに決定する。
【００７２】
以上の過程を経て、記録ストラデジ設定器２２と判定器２１による図４のステップＳ３に示す記録ストラデジ調整の処理が終了する。
【００７３】
次に、記録パラメータ調整器２０により行われる、記録ストラデジの調整、記録パワーの調整及び消去パワーの調整について検証する。
【００７４】
例えば、図４に示すステップＳ１において、トップパルス（Ｔtop），ミドルパルス（Ｔmp），ラストパルス（Ｔlp）のパルス幅を、記録閾値パワーに関する記録ストラテジのパルス幅依存性が変わる特徴点におけるパルス幅（Ｔtop，Ｔmp，Ｔlp）である0.5Ｔに設定せずに、図４に示すステップＳ２及びステップＳ３を行った場合と、パルス幅（Ｔtop，Ｔmp，Ｔlp）を0.5Ｔに設定して図４に示すステップＳ２及びステップＳ３を行った場合の記録パワーマージン測定を行う。その測定結果を図１２に示す。
【００７５】
図１２では  図４のステップＳ１において、トップパルス、ミドルパルス、ラストパルスのパルス幅を０．３Ｔ〜０．８Ｔの範囲で変化させ、図４のステップＳ２及びステップＳ３を実施した後、記録パワー、記録ストラテジにおける記録パワーマージンを測定した結果を示している。
【００７６】
図１２から明らかなように、パルス幅（Ｔtop，Ｔmp，Ｔlp）を0.5Ｔに設定しない場合は、パルス幅（Ｔtop，Ｔmp，Ｔlp）を0.5Ｔに設定した場合に比べて、最適な記録パワーにおいてもＰＲＳＮＲ値が低いことが分かる。つまり、図４に示すステップＳ１で記録閾値パワーが変化しなくなる直前のトップパルス，ミドルパルス，ラストパルスのパルス幅（Ｔtop，Ｔmp，Ｔlp）に設定しないと、局所最適に陥ってしまうことが分かる。
【００７７】
以上の検証結果からして、本発明の実施形態では、ドライブにとって本当に最適な記録ストラテジが得られていることが分かる。
【００７８】
以上のように、本発明の実施形態によれば、情報記録媒体上にパルストレイン型記録ストラテジにて強度変調したレーザー光を照射することによってマークとスペースによるパターン列を光照射によって記録及び情報再生を行う情報記録再生装置において、未知の情報記録媒体が挿入された場合にも、局所最適に陥ることなく、最適に近い記録パラメータを求めることができる。
【００７９】
その理由として、トップパルス・ミドルパルス・ラストパルスを一律に増加させていくと、ある値以上で変調度が飽和する。これは、トップパルス・ミドルパルス・ラストパルスがある一定以上になると再結晶が起こり、記録マークが大きくならないためである。再結晶化が起こり始めると、マーク長に対して非線形な効果が現れるので、再結晶化が起こるようなパルス幅にはすべきでない。一方、記録パワーの立場からすると、トップパルス・ミドルパルス・ラストパルスを可能な限り大きくしたい。
【００８０】
記録パワーが高いと隣接したマークを結晶化してしまうというクロスイレーズや、隣接トラックからのクロストークが発生してしまう。しかし、トップパルス・ミドルパルス・ラストパルスを大きくすることで、記録パワーを低減し、クロスイレーズやクロストークを抑えられる。
【００８１】
以上の説明では、レーザー光の波長を405nm、対物レンズ１０の開口数（NA）を0.65にそれぞれ限定したが、これに限られるものではない。本発明は、あらゆる波長、およびNAに適応可能である。
【００８２】
また、上記実施形態では、ＰＲ(１２２２１）というクラスを使用したが、これに代えて、ＰＲ(１２２１）など他のクラスでも同様に使用することができる。
【００８３】
また、変調符号としてHD DVDで採用されているＥＴＭを想定したが、その他の変調符号でも同様に使用できる。その場合、例えば、kＴ（kは3以上の自然数）というような最短データ長が変わる場合もありうる。
【００８４】
また、実施形態は光学的情報記録媒体１３として、HD  DVDを用いたが、これに限れるものではなく、ブルーレイディスク（ＢＤディスク）を使用しても良い。
【産業上の利用可能性】
【００８５】
本発明によれば、高密度光ディスクの記録再生装置および記録ストラテジ調整法として、広く適応することができ、記録再生装置の信頼性を著しく高める効果を得ることができる。
【図面の簡単な説明】
【００８６】
【図１】本発明の実施形態に係る情報記録再生装置を示す構成図である。
【図２】図１に示すシステムコントローラに組み込んだ記録パラメータ調整器を示す図である。
【図３】図１に示すＲＦ回路部の具体例を示すブロック図である。
【図４】本発明の実施形態における処理手順を示すフローチャートである。
【図５】図４に示すベースストラデジ決定処理を具体的に示すフローチャートである。
【図６】本発明の実施形態において使用した(ｋ−１)型のパルストレインを示す図である。
【図７】本発明の実施形態において、記録ストラテジのパルス幅を変化させ、各々の記録ストラテジのパルス幅に関して再生信号振幅の記録パワー依存性を示す特性図である。
【図８】記録マークが形成され始める記録閾値パワーと各々の記録ストラテジのパルス幅の関係を示す特性図である。
【図９】図４のベースストラデジ決定処理で求めた基本パルス幅を下に測定した記録パワー依存性を示す特性図である。
【図１０】図４のベースストラデジ決定処理で求めた基本パルス幅を下に測定した消去パワー依存性を示す特性図である。
【図１１】図４のパワー調整処理で求めた記録パワー、消去パワーを下に測定したトップパルス・ミドルパルス・ラストパルスのパルス幅依存性を示す特性図である。
【図１２】図４のベースストラデジ決定処理において、トップパルス、ミドルパルス、ラストパルスのパルス幅を変化させ、パワー調整処理と記録ストラデジ処理を実施した後の記録パワー、記録ストラテジにおける記録パワーマージンを示す特性図である。
【図１３】本発明の実施形態において用いたパルストレインを示す概略図である。
【符号の説明】
【００８７】
１  スピンドル駆動系
２  光ヘッド部
３  ＲＦ回路部
４  復調器
５  システムコントローラ
６  変調器
７  レーザーダイオード（ＬＤ）
８  ＬＤ駆動系
９  サーボコントローラ
１０  対物レンズ
１１  受光部
１２  ビームスプリッタ
１３  光学的情報記録媒体
１００  プリフィルタ
１０１  オートゲインコントロール（ＡＧＣ）
１０２  Ａ／Ｄコンバータ（ＡＤＣ）
１０３  フェーズ・ロックド・ループ（ＰＬＬ）
１０４  適応等化器
１０５  ビタビ復号器
１０６  ＰＲＳＮＲ計算器
【図１】
2008234776.tif 000003
【図２】
2008234776.tif 000004
【図３】
2008234776.tif 000005
【図４】
2008234776.tif 000006
【図５】
2008234776.tif 000007
【図６】
2008234776.tif 000008
【図７】
2008234776.tif 000009
【図８】
2008234776.tif 000010
【図９】
2008234776.tif 000011
【図１０】
2008234776.tif 000012
【図１１】
2008234776.tif 000013
【図１２】
2008234776.tif 000014
【図１３】
2008234776.tif 000015